(57)【要約】    【課題】  本考案は、自分に適合する枕が人手に頼ることなく容易に判別しうる適合枕確認具を提供することを目的とし、この適合枕確認具を普及させることにより使用者が自分に適合した枕を容易に選択しうる目安として標準規格化に寄与することを目的とする。    【解決手段】  本考案に係る適合枕確認具セットは、表面側と裏面側とを有し、表面側は人体の後頭部をあてがうための凹部２１を備え、該凹部の最凹部は裏面側と所定の厚みを有し、裏面側は着脱可能な接着部３１を備えた適合枕確認具であって、前記凹部における人体の後頭部があてがわれる最凹部から裏面側までの厚みを異ならしめた適合枕確認具１０１，１０２，１０３を複数取り揃えたことを特徴とするものである。    【選択図】  図３
0003103351.tif 000002
【実用新案登録請求の範囲】
【請求項１】
表面側と裏面側とを有し、表面側は人体の頭部をあてがうための凹部を備え、該凹部の最凹部は裏面側との間に所定の厚みを有し、裏面側は着脱又は移動可能な接着部を備えてなることを特徴とする適合枕確認具。
【請求項２】
少なくとも表面側から押圧すれば、その押圧力により凹む材質よりなることを特徴とする請求項１に記載の適合枕確認具。
【請求項３】
表面側と裏面側とを有し、表面側は人体の頭部をあてがうための凹部を備え、該凹部の最凹部は裏面側と所定の厚みを有し、裏面側は着脱又は移動可能な接着部を備えた適合枕確認具であって、前記凹部における人体の頭部があてがわれる最凹部から裏面側までの厚みを異ならしめた適合枕確認具を複数取り揃えたことを特徴とする適合枕確認具セット。
【請求項４】
表面側と裏面側とを有し、表面側は人体の頭部をあてがうための凹部を備え、該凹部の最凹部は裏面側と所定の厚みを有し、裏面側は着脱又は移動可能な接着部を備えた適合枕確認具であって、適合枕確認具の少なくとも表面側から押圧すれば、その押圧力により凹む材質よりなり、凹み度合を異ならしめた適合枕確認具を複数取り揃えたことを特徴とする適合枕確認具セット。
【考案の詳細な説明】
【技術分野】
【０００１】
本考案は、例えば、枕購入の際において、自己に適合した枕を選択するために使用する適合枕確認具及びそのセットに関する。
【背景技術】
【０００２】
現代病の１つとして、不眠、肩凝り、頭痛などの睡眠障害が問題となっている。その原因が枕の高さや硬さが適切でないことによるとして、自分に適合した枕を求める人が多く見受けられるが、自分に適合した枕が容易に得られないのが現状である。その理由は、専門知識を有しているアドバイザーが常駐しているような専門店で購入する場合はともかく、一般的な寝具店や、日用品を取り扱っている量販店、ホームセンター、スーパーマーケット等で購入する場合には、商品をさわったり、デザインや形態などの外観を見て判断せざるを得ず、購入後に使用して始めて自分に適しているか否かが判ることになる。すなわち、枕が標準規格化されておらず、使用者が自分に適合した枕を選択する目安がないからである。また、最近、枕の高さが自分に適しているか否かを測定できるような器具が多く開発されているが、専門員が必要であったり、また、購入者独自で使用できるように簡易な構造にしたものであっても、電気的あるいは機械的な要素が含まれているために敬遠されて容易に使用されないのが実情である。
【考案の開示】
【考案が解決しようとする課題】
【０００３】
本考案は、上記の実情に鑑み、自分に適合する枕が人手に頼ることなく容易に判別しうる適合枕確認具を提供することを目的とし、この適合枕確認具を普及させることにより使用者が自分に適合した枕を容易に選択しうる目安として標準規格化に寄与することを目的とする。
【課題を解決するための手段】
【０００４】
本考案に係る適合枕確認具は、表面側と裏面側とを有し、表面側は人体の頭部をあてがうための凹部を備え、該凹部の最凹部は裏面側との間に所定の厚みを有し、裏面側は着脱又は移動可能な接着部を備えてなることを特徴とするものである。
【０００５】
このように構成することにより、当該適合枕確認具を壁面等に対して適当な高さの位置、すなわち、人が壁面等に対して起立又は椅子等に座したときに人の後頭部や側頭部などの頭部が接触する位置に接着し、当該適合枕確認具の凹部に人の後頭部や側頭部などの頭部をあてがうと、当該適合枕確認具の凹部における最凹部と裏面側との間の所定の厚みが枕の高さに相当するので、枕の高さに関してこの適合枕確認具が自分に適合するか否かを確認することができ、適合する場合には、この適合枕確認具と同じ高さの枕を選択すれば、自分に適合した高さの枕を選択することができる。
【０００６】
なお、適合枕確認具において、この適合枕確認具を、その少なくとも表面側から押圧すれば、その押圧力により凹む材質より構成した場合には、上記と同様の操作を行えば、硬さに関してこの適合枕確認具が自分に適合するか否かを確認することができ、適合する場合には、この適合枕確認具と同じように凹む硬さの枕を選択すれば、自分に適合した硬さの枕を選択することができる。
【０００７】
また、本考案に係る適合枕確認具セットは、表面側と裏面側とを有し、表面側は人体の頭部をあてがうための凹部を備え、該凹部の最凹部は裏面側と所定の厚みを有し、裏面側は着脱又は移動可能な接着部を備えた適合枕確認具であって、前記凹部における人体の頭部があてがわれる最凹部から裏面側までの厚みを異ならしめた適合枕確認具を複数取り揃えたことを特徴とするものである。
【０００８】
このように構成すると、複数取り揃えた厚みの異なる適合枕確認具を横一列にして、上記と同様に壁面等の適当高さの位置に接着しておき、その中から１つを選択して上記したように枕の高さに関して自分に適合するか否かを確認し、適合しない場合には、他の１つを選択して枕の高さが自分に適合するか否かを確認し、これを繰り返し行って自分に適合する枕の高さの適合枕確認具が見つかった場合には、その適合枕確認具と同じ高さの枕を選択すれば、自分に適合した高さの枕を選択することができる。
【０００９】
さらに、本考案に係る適合枕確認具セットとして、表面側と裏面側とを有し、表面側は人体の頭部をあてがうための凹部を備え、該凹部の最凹部は裏面側と所定の厚みを有し、裏面側は着脱又は移動可能な接着部を備えた適合枕確認具であって、適合枕確認具の少なくとも表面側から押圧すれば、その押圧力により凹む材質よりなり、凹み度合を異ならしめた適合枕確認具を複数取り揃えた構成としてもよい。
【００１０】
このように構成すれば、複数取り揃えた凹み度合の異なる適合枕確認具を横一列にして、上記と同様に壁面等の適当高さの位置に接着しておき、その中から１つを選択して上記したように硬さに関して自分に適合するか否かを確認し、適合しない場合には、他の１つを選択して自分に適合するか否かを確認し、これを繰り返し行って硬さに関して自分に適合する適合枕確認具が見つかった場合には、その適合枕確認具と同じ凹む度合の硬さの枕を選択すれば、自分に適合した硬さの枕を選択することができる。
【考案の効果】
【００１１】
以上のように本考案に係る適合枕確認具及び適合枕確認具セットは、自分に適合する枕の高さや硬さが人手に頼ることなく容易に判別しうるものであり、このような適合枕確認具及び適合枕確認具セットを普及させ、標準規格化されると使用者が自分に適合した枕を容易に選択しうる目安となる。
【考案を実施するための最良の形態】
【００１２】
本考案に係る好適な実施例を添付の図面に基づいて詳細に説明する。
【００１３】
図１〜図３は本考案に係る適合枕確認具の実施例を示し、図１は適合枕確認具を壁面に接着する状態を示す概略斜視図であり、図２は各適合枕確認具の概略断面図であり、図３は複数の厚みの異なる適合枕確認具の使用状態を示す概略斜視図である。
【００１４】
図１において、１０は本実施例に係る適合枕確認具であり、内部に伸縮性を有する素材として所定形状に成形されたウレタン発泡樹脂が封入され、その全体が合成皮革により包被されてなるものであり、高さＨが約３５０ｍｍで、幅Ｗが約８０ｍｍである。なお、適合枕確認具の内部の材質は上記のものに限られるものではなく、一定の厚みが維持されるものであればよい。また、包被材も上記のものに限られるものではなく、また、必ずしも包被する必要はない。
【００１５】
該適合枕確認具１０は、その表面側２０には凹部２１が形成され、人体の後頭部をあてがうことができるようになっている。また、裏面側３０には接着部としてマグネットテープ３１が装着されていてスチール壁Ｐやスチール柱などに着脱及び移動可能になっている。前記表面側２０の凹部２１おける最凹部２２と裏面側３０との間が所定の厚みｄを有するように設計されている。なお、接着手段としては上記の手段に限られるものではなく、面ファスナーやフックなどのように誰しもが容易に着脱及び移動しうるものであればどのようなものでも採用できる。
【００１６】
図２に、厚みの異なる適合枕確認具の断面図を３種類、すなわち「高（Ｈ）」、「中（Ｍ）」、「低（Ｌ）」を枕の高さの基準として取り揃えた適合枕確認具のセットである。すなわち１０１は最も厚みのある適合枕確認具であって厚みｄ１が約７０ｍｍである。１０２は中間の厚みのある適合枕確認具であって厚みｄ２が約５０ｍｍである。１０３は最も厚みの薄い適合枕確認具であって厚みｄ３が約３０ｍｍである。なお、上記のように３種類に限らず、１０ｍｍ単位で３０ｍｍから７０ｍｍまでの５種類とし、「高（Ｈ）」、「中高（ＭＨ）」、「中（Ｍ）」、「中低（ＭＬ）」、「低（Ｌ）」を枕の高さの基準としてもよい。また、硬さの異なる適合枕確認具を、例えば３種類を想定し「硬（Ｈ）」、「中（Ｍ）」、「軟（Ｓ）」を枕の硬さの基準とし、上記厚みの異なる３種類の適合枕確認具による枕の高さの基準「高（Ｈ）」、「中（Ｍ）」、「低（Ｌ）」と組み合わせて、「高（Ｈ）硬（Ｈ）」、「高（Ｈ）中（Ｍ）」、「高（Ｈ）軟（Ｓ）」、「中（Ｍ）硬（Ｈ）」、「中（Ｍ）中（Ｍ）」、「中（Ｍ）軟（Ｓ）」、「低（Ｌ）硬（Ｈ）」、「低（Ｌ）中（Ｍ）」、「低（Ｌ）軟（Ｓ）」のように枕の高さ及び硬さを組み合わせた９種類の基準としてもよい。
【００１７】
図３は、図２に示す適合枕確認具１０１，１０２，１０３（総称するときは「適合枕確認具１０」という）を壁面Ｐに接着し、その下方に椅子を設置して、利用者が椅子に座って自分に適合した枕の高さを確認できるようにしたものである。また、上記したように適合枕確認具１０は磁力により壁面に接着されるので、自己の座高に併せて容易に上下させることができる。なお、適合枕確認具１０を上方に設置し、利用者が起立した状態で自分に適合した枕の高さを確認できるようにしてもよい。
【００１８】
以上のように構成することにより、当該適合枕確認具１０を壁面に対して人が椅子に座したときに人の後頭部が接触する位置に接着し、当該適合枕確認具１０の表面側２０の凹部２１に人の後頭部をあてがうと、当該適合枕確認具１０の凹部２１における最凹部２２と裏面側３０との所定の厚みｄが枕の高さに相当するので、高さに関してこの適合枕確認具１０が自分に適合するか否かを確認することができ、適合する場合には、この適合枕確認具１０と同じ高さの枕を選択すれば、自分に適合した高さの枕を選択することができる。
【００１９】
なお、適合枕確認具１０において、この適合枕確認具１０を表面側から押圧すれば、その押圧力により凹む材質であるため、硬さに関してこの適合枕確認具１０が自分に適合するか否かを確認することができ、適合する場合には、この適合枕確認具１０と同じように凹む硬さの枕を選択すれば、自分に適合した硬さの枕を選択することができる。
【００２０】
また、上記適合枕確認具セットは、図２に示すように、適合枕確認具１０の表面側２０の凹２１部における最凹部２２から裏面側３０までの厚みｄを異ならしめた複数の適合枕確認具１０１，１０２，１０３を取り揃え、図３に示すように使用するものである。
【００２１】
このように構成すると、複数取り揃えた厚みｄの異なる適合枕確認具１０１，１０２，１０３を横一列にして、図３に示すように壁面の適当高さの位置に接着しておき、その中から１つを選択して枕の高さに関して自分に適合するか否かを確認し、適合しない場合には、他の１つを選択して自分に高さが適合するか否かを確認し、これを繰り返し行って自分に適合する高さの適合枕確認具が見つかった場合には、その適合枕確認具と同じ高さの枕を選択すれば、自分に適合した高さの枕を選択することができる。
【００２２】
なお、適合枕確認具セットとして、前記の適合枕確認具１０について、その少なくとも表面側から押圧すれば、その押圧力により凹む材質よりなり、凹み度合を異ならしめた適合枕確認具を複数取り揃えた構成とすれば、複数取り揃えた凹み度合の異なる適合枕確認具を横一列にして、上記と同様に壁面等の適当高さの位置に接着しておき、その中から１つを選択して上記したように硬さに関して自分に適合するか否かを確認し、適合しない場合には、他の１つを選択して自分に適合するか否かを確認し、これを繰り返し行って硬さに関して自分に適合する適合枕確認具が見つかった場合には、その適合枕確認具と同じ凹む度合の硬さの枕を選択すれば、自分に適合した硬さの枕を選択することができるので便利である。
【００２３】
また、上記の実施例における適合枕確認具１０は、その表面側２０には凹部２１が形成され、人体の後頭部をあてがうことができるようにしたものであるが、人体の側頭部をあてがうことができるように凹部を形成し、横臥状態における枕の適合具合を確認できるようにしてもよく、さらに、１つの面を後頭部の適合確認用に使用し、もう一つの面は側頭部の適合確認用に使用できるように、後頭部及び側頭部をあてがうことができるようにそれぞれの面において凹部を形成し、その反対側の面を着脱及び移動可能に接着できるように構成してもよい。
【産業上の利用可能性】
【００２４】
このような適合枕確認具及び適合枕確認具セットを普及させ、標準規格化されると、使用者が自分に適合した枕の規格を覚えておけば、適切な枕を容易に選択しうる目安となるので、便利である。
【図面の簡単な説明】
【００２５】
【図１】本考案に係る適合枕確認具の実施例であって、適合枕確認具を壁面に接着する状態を示す概略斜視図である。
【図２】本考案に係る適合枕確認具の実施例であって、各適合枕確認具の概略断面図である。
【図３】本考案に係る適合枕確認具の実施例であって、複数の厚みの異なる適合枕確認具の使用状態を示す概略斜視図である。
【符号の説明】
【００２６】
１０・・適合枕確認具
１０１・最も厚みのある適合枕確認具
１０２・中間の厚みのある適合枕確認具
１０３・最も厚みの薄い適合枕確認具
Ｈ・・・適合枕確認具の高さ
Ｗ・・・適合枕確認具の幅
２０・・適合枕確認具の表面側
２１・・適合枕確認具の表面側の凹部
２２・・適合枕確認具の表面側の凹部の最凹部
３０・・適合枕確認具の裏面側
３１・・マグネットテープ
ｄ・・・表面側の凹部おける最凹部と裏面側との間の厚み
ｄ１・・適合枕確認具１０１の厚み
ｄ２・・適合枕確認具１０２の厚み
ｄ３・・適合枕確認具１０３の厚み
Ｐ・・・壁面
【図１】
0003103351.tif 000003
【図２】
0003103351.tif 000004
【図３】
0003103351.tif 000005